【事件の表示】
　上記当事者間の登録第４０５２０４３号商標の商標登録無効審判事件について、次のとおり審決する。
【結　論】
　本件審判の請求は、成り立たない。
　審判費用は、請求人の負担とする。
【理　由】
第１　本件商標
　本件登録第４０５２０４３号商標（以下、「本件商標」という。）は、「ＳＩＬＨＯＵＥＴＴＹ」の欧文字と「シルエッティ」の片仮名文字とを二段に横書きしてなり、平成５年５月１１日に登録出願、第３類「化粧品，石けん類」を指定商品として、同９年９月５日に設定登録されたものである。
　
第２　請求人の引用商標
　請求人が、本件商標の登録無効の理由に引用する登録第５７６００９号商標は、別掲に示すとおりの構成よりなり、昭和３５年３月３０日に登録出願、第５類「歯磨及び他類に属しない洗料」を指定商品として、同３６年７月１日に設定登録され、現に有効に存続しているものである。同じく、登録第１７７８２２３号商標（以下、これらを一括して「引用商標」という。）は、「ＳＩＬＨＯＵＥＴＴＥ」の欧文字と「シルエット」の片仮名文字とを二段に横書きしてなり、昭和５６年５月１３日に登録出願、第４類「せつけん類、歯みがき、化粧品、香料類」を指定商品として、同６０年６月２５日に設定登録され、現に有効に存続しているものである。
  　
第３　請求人の主張
　請求人は「本件商標の登録を無効とする。審判費用は、被請求人の負担とする。」との審決を求め、その理由を概略次のように述べ、証拠方法として甲第１号証ないし甲第１０号証を提出した。
（１）本件商標は、欧文字「ＳＩＬＨＯＵＥＴＴＹ」と片仮名文字「シルエッティ」を上下二段に構成してなり、引用商標は、欧文字「ＳＩＬＨＯＵＥＴＴＥ」と片仮名文字「シルエット」を上下二段に構成してなる。
　このように本件商標と引用商標は、４音から構成されており、そのうち称呼の類否において比重の重い語頭音は、「シ」と共通する音からなる。また、第２音は「ル」、第３音は「エッ」と共通する。異なるところは末尾における「ティ」と「ト」のみであるが、この差異音も調音の位置（上歯のつけ根の歯茎）を同じくするものである。そして、差異音が通常明確に聴き分け難い語尾に位置することとも相俟って本件・引用商標を全体として称呼するときは、その語感、語調が近似し、彼此相紛れるおそれがある（甲第４号証ないし甲第７号証）。
　したがって、本件商標と引用商標は、称呼において類似する商標であり、かつ、本件商標と引用商標の指定商品が互いに抵触することは明らかである。
（２）また、外観の点においても本件商標と引用商標とは類似する。
　本件商標と引用商標のそれぞれに含まれる指定商品「化粧品，石けん類」については、欧文字の醸し出す高級な雰囲気を重視して商品の表側に商標の構成要素の欧文字部分のみが使用されるのが一般に認められる（甲第８号証）。したがって、本件商標と引用商標の外観類似の判断においては、このような現実の使用態様も基準として判断されるべきである。
　しかして、本件商標と引用商標のそれぞれの欧文字部分は、１０文字から構成されており、そのうちの語頭文字「Ｓ」から第９文字「Ｔ」迄が「ＳＩＬＨＯＵＥＴＴ」の通り完全に一致しており、相違するのは僅かに視覚の上において極めて比重の軽い語尾の１文字にしか過ぎない。
　このように本件商標と引用商標とは、１０文字中９文字が同一の文字によって構成されている。
　ところで、簡易迅速を旨とする取引の実情のもとでは、それぞれの商標を常に冷静かつ厳密に分析し、その商標を構成する図形や綴り字、あるいはその商標の有する観念等を正確に把握して取引に当たるとは限らない。
　したがって、本件商標と引用商標のように１０文字中９文字を同一にしている場合には、視覚上同一又は近似するものと判断し出所の混同を生じるものといわなければならない。よって、本件商標と引用商標とは外観の上においても類似する商標である。
　本件商標は、原審において請求人所有の前記引用商標を以て拒絶査定を受けており（甲第９号証ないし甲第１０号証）、その際『「テ」・「ティ」は「ト」と５０音中タ行同行に属する歯茎、破裂音の音質が近似したものである』とされ、又甲第７号証の審決例においても『この差異音「ト」と「ティ」はいずれも無声音「ｔ」を要素とする５０音図中の「タ」行に属する近似音である』と明確に判断されている。前者は平成７年６月、後者は平成２年３月と時の隔たりに関係なく同様に結論付けられており、申すまでもなく語尾の一音相違に関する類否判断は時と共に変化するものではなく、又語尾音が同行音の場合類似とする原則の例外であり得ない。
（３）以上の次第であるので本件商標の登録は引用商標との関係において商標法第４条第１項第１１号に該当する瑕疵ある登録である。したがって、本件商標の登録は、商標法第４６条第１項第１号により無効とされるべきものである。
　
第４　被請求人の答弁
　被請求人は、結論同旨の審決を求めると答弁し、その理由を概略次のように述べ、証拠方法として乙第１号証（枝番を含む。）を提出した。
（１）外観上
　本件商標は、上段に、欧文字ゴチック書体で、「ＳＩＬＨ０ＵＥＴＴＹ」と書してなり、下段は、「シルエッティ」とカタカナのゴチツク文字で一連に書してなるものであり、上下の左端を揃え、等間隔に文字を配してなるものであり、必然的に右端が不揃いとなる構成である。
　これに対し、引用商標は、共に上段に、欧文字書体で、「ＳＩＬＨＯＵＥＴＴＥ」と書してなり、下段は、「シルエット」とカタカナ文字で一連に書してなるものである。
　しかしながら、甲第２号証商標はデザイン化された筆文字風書体で表されており、甲第３号証は上下の文字を左右両端を揃えて均等に文字を配してなるものである。
　したがって、本件商標と引用商標は、外観上相紛れるおそれはなく、類似するものではない。
（２）称呼上
　両商標は、前述の外観上の項で記載のとおりの構成であるので、本件商標からは「シルエッティ」の称呼のみが生じるものである。これに対し、引用商標からは共に「シルエット」の称呼が生ずるものである。
　そこで、「シルエッティ」と「シルエット」の称呼につき比較検討する。両称呼は語尾の「ティ」と「ト」が相違するが、「テイ」音は舌尖と上前歯との間で形成される無声破擦音と母音〔ｉ〕との結合した音節である。
　一方、「ト」音は、舌尖を上前歯のもとに密着して破裂させる無声子音と母音〔ｏ〕との結合した音である。
　ところで、前者の有する母音〔ｉ〕は、母音中最も狭母音に属する音であり、比較的口の開きの小さい、口篭もり勝ちな、弱い音であるのに対し、後者の有する母音〔ｏ〕は「ウ」と「ア」の中間母音であって、唇をまるめて比較的明瞭に発音されるものである。
　したがって、母音〔ｉ〕と母音〔ｏ〕は、母音三角図によるまでもなく、近似していないことは明白である。
　してみれば、本件商標より生じる「シルエッティ」の称呼は全体に流れるような語感（語韻・語調）を与えるものである。これに対し、引用商標より生じる「シルエット」の称呼は、全体に「シ」・「ル」・「エツ」・「ト」と、区切りよく、強く響く音となって称呼されるものである。
　以上のことは、平成３年審判第２３４１７号、昭和５６年審判第５３９３号、昭和５９年審判第１９３３６号、昭和６０年審判第４２３５号、平成２年審判第１１０３５号の審決においても、同様の構成に関わる商標の語尾音が、「ティ」と「ト」の差異音を有する場合に、非類似と判断された例からも明らかである。
　したがって、両商標は、十分に区別し得るものであるので、称呼上も、相紛れるおそれはなく、類似するものではない。
（３）観念上
　本件商標は、特定の観念を有さない造語であるので、相紛れるおそれはなく、類似するものではない。
（４）以上述べたごとく、本件商標と引用商標は、外観・称呼・観念のいずれの観点からも、相紛れるおそれはなく、類似するものではないので、各々別個に登録されるべきものである。
　ついては、本件商標につき商標法第４条第１項第１１号に違反してなされたものではないので、同法第４６条第１項第１号により無効とすることはできない。
　
　第５　当審の判断
　本件商標は、「ＳＩＬＨＯＵＥＴＴＹ」と「シルエッティ」の各文字よりなるところ、その構成文字に相応して「シルエッティ」の称呼を生ずるものであって、特定の観念を生ずることのない一種の造語を表したものというのが相当である。
　他方、引用商標は、書体に多少の相違はあるものの、いずれも「ＳＩＬＨＯＵＥＴＴＥ」と「シルエット」の各文字を表したものと容易に理解されるから、その構成文字に相応して「シルエット」（シルエット、影絵）の称呼、観念を生ずるものというべきである。
　そこで、本件商標より生ずる「シルエッティ」の称呼と引用商標より生ずる「シルエット」の称呼を比較するに、両称呼は、「シルエッ」の音を共通にするとしても、これに続く語尾音において、母音を異にする「ティ」と「ト」の音の差異を有するものであり、この差異音は、ともに前音が促音（ッ）を伴っていることと相まって、比較的強く発音され明瞭に聴取されるといえるものである。加えて、引用商標が「シルエット、影絵」の観念を有する語として一般に親しまれているといえるから、この差異が両称呼の全体に及ぼす影響は小さいものとはいえず、両称呼を一連に称呼した場合においても、互いに聴き誤るおそれはないものといわなければならない。
　また、請求人が外観上類似すると主張する欧文字部分についても、両商標は、その構成中の語尾の文字において字形を全く異にする「Ｙ」と「Ｅ」の差異を有するものであるから、通常の注意力をもってすれば、この差異は明らかに認識し得るもので見誤るおそれはなく、加えて、両商標とも併記されている片仮名文字部分の「ティ」と「ト」の差異をも考慮すれば、本件商標と引用商標とは、外観において互いに区別し得るものである。
　さらに、本件商標は、特定の観念を生ずるものとは認められないこと前記のとおりであるから、「シルエット、影絵」の観念を生ずる引用商標とは、観念上比較することができない。
　してみれば、本件商標と引用商標とは、その外観、称呼及び観念のいずれよりみても非類似の商標といわざるを得ない。
　したがって、本件商標は、商標法第４条第１項第１１号に違反して登録されたものということはできないから、同法第４６条第１項第１号により、その登録を無効とすることはできない。
　よって、結論のとおり審決する。